(57)【要約】【課題】本発明は、プラズマ表示装置及びその駆動方法に関する。【解決手段】本発明によるプラズマ表示装置の駆動方法は、維持期間で、走査電極及び維持電極に維持放電パルスを交互に印加する。この時、維持放電パルスの数が小さくてプライミングが少なく形成されるサブフィールドの維持期間では、維持電極に印加される最後の維持放電パルスの幅を残りの維持放電パルスの幅より長く設定する。このようにすれば、次のサブフィールドでのアドレス放電遅延を短縮させることができる。【選択図】図２
2006133773.tif 000002
【特許請求の範囲】
【請求項１】
複数の第１電極及び複数の第２電極を含むプラズマ表示装置の駆動方法において、
一つのフレームを、各々リセット期間、アドレス期間、及び維持期間を含む複数のサブフィールドに分けて駆動し、
前記複数のサブフィールドのうちの少なくとも一つの第１サブフィールドの維持期間で、
前記第１電極及び第２電極に、維持放電のための複数の維持放電パルスを交互に印加し、
前記第２電極に印加される最後の維持放電パルスの幅を残りの維持放電パルスの幅より長くするプラズマ表示装置の駆動方法。
【請求項２】
前記少なくとも一つの第１サブフィールドは、維持期間での維持放電パルスの数が１５個以下であるサブフィールドを含む、請求項１に記載のプラズマ表示装置の駆動方法。
【請求項３】
前記第２電極に印加される最後の維持放電パルスの幅が１.５μｓより 長い、請求項２に記載のプラズマ表示装置の駆動方法。
【請求項４】
前記第２電極に印加される最後の維持放電パルスの幅が３μｓより長い、請求項２に記載のプラズマ表示装置の駆動方法。
【請求項５】
前記複数のサブフィールドのうちの少なくとも一つの第２サブフィールドの維持期間では、前記第１電極及び第２電極に印加される維持放電パルスの幅が互いに同一である、請求項１乃至４のうちのいずれか一つに記載のプラズマ表示装置の駆動方法。
【請求項６】
維持期間で、最後の維持放電パルスは前記第１電極に印加される、請求項５に記載のプラズマ表示装置の駆動方法。
【請求項７】
前記維持期間に繋がるリセット期間で、
前記第１電極に最後の維持放電パルスを印加した後、前記第１電極の電圧を漸進的に減少させる、請求項６に記載のプラズマ表示装置の駆動方法。
【請求項８】
前記第１電極は走査電極であり、前記第２電極は維持電極である、請求項７に記載のプラズマ表示装置の駆動方法。
【請求項９】
複数の走査電極と、
複数の維持電極と、
一つのフレームを、リセット期間、アドレス期間、及び維持期間からなる複数のサブフィールドに分け、前記複数のサブフィールドを維持放電パルスの数によって第１及び第２グループを含む複数のグループに分割する制御部と、
前記制御部の制御により、維持期間で、前記走査電極及び維持電極に維持放電パルスを反対位相に印加する駆動回路とを含み、
前記制御部は、前記複数のグループのうちの第１グループのサブフィールドの維持期間で、前記維持電極に印加される最後の維持放電パルスの幅を残りの維持放電パルスの幅より長く設定するプラズマ表示装置。
【請求項１０】
前記第１グループのサブフィールドの維持期間で、前記維持電極に印加される最後の維持放電パルスの幅が１.５μｓより長い、請求項９に記載のプラズマ表示装置。
【請求項１１】
前記制御部は、前記第１グループの各サブフィールドの維持放電パルスの数を、前記第２グループの各サブフィールドの維持放電パルスの数より少なく設定する、請求項１０に記載のプラズマ表示装置。
【請求項１２】
前記第１グループの各サブフィールドの維持放電パルスの数は１５個以下である、請求項１１に記載のプラズマ表示装置。
【請求項１３】
前記駆動回路は、前記維持期間に繋がる次のサブフィールドのリセット期間で、前記維持期間で維持放電が起こったセルに対してのみ初期化を遂行する、請求項９乃至１２のうちのいずれか一つに記載のプラズマ表示装置。
【請求項１４】
前記維持期間での最後の維持放電パルスは前記走査電極に印加される、請求項１３に記載のプラズマ表示装置。
【請求項１５】
複数の第１電極と、
複数の第２電極と、
一つのフレームを、リセット期間、アドレス期間、及び維持期間からなる複数のサブフィールドに分け、前記複数のサブフィールドを維持放電パルスの数によって第１及び第２グループを含む複数のグループに分割する制御部と、
前記制御部の制御により、維持期間で、前記第１電極に正の第１電圧と負の第２電圧とを交互に有する維持放電パルスを印加し、前記第２電極に第３電圧を印加する駆動回路とを含み、
前記制御部は、前記複数のグループのうちの第１グループのサブフィールドの維持期間で、前記第１電極に印加される維持放電パルスのうちの最後の前記第２電圧の幅を、残りの維持放電パルスの前記第１電圧の幅及び前記第２電圧の幅より長く設定するプラズマ表示装置。
【請求項１６】
前記第１グループの各サブフィールドの維持放電パルスは１５個以下であり、
前記第２グループの各サブフィールドの維持放電パルスは１６個以上である、請求項１５に記載のプラズマ表示装置。
【発明の詳細な説明】
【技術分野】
【０００１】
本発明は、プラズマ表示装置及びその駆動方法に関するものである。
【背景技術】
【０００２】
プラズマ表示装置は、気体放電によって生成されたプラズマを利用して文字又は映像を表示する平面表示装置であって、その大きさによって数十から数百万個以上の放電セルがマトリックス形態に配列されている。
【０００３】
このようなプラズマ表示装置のパネルには、その一側の面に互いに並行である走査電極及び維持電極が形成され、他側の面にこれら電極と直交する方向にアドレス電極が形成される。そして、維持電極は各走査電極に対応して形成され、その一端が互いに共通に連結されている。
【０００４】
プラズマ表示装置の駆動方法によれば、各サブフィールドは、リセット期間、アドレス期間、及び維持期間からなる。
【０００５】
リセット期間は、以前の維持放電によって形成された壁電荷を消去し、次のアドレス放電を安定的に行うために壁電荷をセットアップする役割を果たす。アドレス期間は、パネルで点灯されるセルと点灯されないセルを選択して、点灯されるセル（アドレシングされたセル）に壁電荷を蓄積する動作を行う期間である。そして、維持期間は、アドレシングされたセルに実際に画像を表示するための維持放電を行う期間である。
【０００６】
一方、アドレス期間では、走査電極（Ｙ）とアドレス電極に各々走査パルス及びアドレスパルスを印加して、走査電極（Ｙ）とアドレス電極（Ａ）との間でアドレス放電を起こし、点灯されるセルを選択する。
【発明の開示】
【発明が解決しようとする課題】
【０００７】
しかし、二つの電極の間に電圧を印加して行われる放電は、電圧が印加された時点より時間的に遅延されて放電が発生する。特に、前述のアドレス放電は、一定の走査パルスとアドレスパルスの幅内で放電が行わなければならないため、放電遅延時間が走査パルスとアドレスパルスの幅より長くなると、放電が起こらないという問題点が発生する。
【０００８】
本発明は上記技術的課題を解決するためになされたものであって、その目的はアドレス放電遅延時間を短縮させて安定的なアドレス放電を遂行することができるプラズマ表示装置及びその駆動方法を提供することにある。
【課題を解決するための手段】
【０００９】
本発明の一つの特徴によれば、複数の第１電極及び複数の第２電極を含むプラズマ表示装置の駆動方法が提供される。この駆動方法は、一つのフレームを、各々リセット期間、アドレス期間、及び維持期間を含む複数のサブフィールドに分けて駆動し、前記複数のサブフィールドのうち少なくとも一つの第１サブフィールドの維持期間で、前記第１電極及び第２電極に維持放電のための複数の維持放電パルスを交互に印加し、前記第２電極に印加される最後の維持放電パルスの幅を残りの維持放電パルスの幅より長く設定する。
【００１０】
本発明の他の特徴によれば、複数の走査電極、複数の維持電極、一つのフレームを、リセット期間、アドレス期間、及び維持期間からなる複数のサブフィールドに分け、前記複数のサブフィールドを維持放電パルスの数によって第１及び第２グループを含む複数のグループに分割する制御部、及び前記制御部の制御により、維持期間で、前記走査電極及び維持電極に維持放電パルスを反対位相に印加する駆動回路を含むプラズマ表示装置が提供される。この時、前記制御部は、前記複数のグループのうちの第１グループのサブフィールドの維持期間で、前記維持電極に印加される最後の維持放電パルスの幅を残りの維持放電パルスの幅より長く設定する。
【００１１】
本発明の更に他の特徴によれば、複数の走査電極及び複数の維持電極の間に放電セルが形成されるプラズマ表示パネル、及び前記プラズマ表示パネルで、一つのフレームを、リセット期間、アドレス期間、及び維持期間からなる複数のサブフィールドに分け、前記走査電極及び維持電極に駆動電圧を印加する駆動回路を含むプラズマ表示装置が提供される。この時、前記駆動回路は、各サブフィールドの前記維持期間で、前記走査電極及び維持電極に維持放電のための維持放電パルスを交互に印加し、前記複数のサブフィールドを、前記維持放電パルスの数によって第１及び第２グループに分ける場合、前記第１グループのサブフィールドの維持期間で、前記維持電極に印加される最後の維持放電パルスの幅を残りの維持放電パルスの幅より長く設定する。
【００１２】
本発明の更に他の特徴によれば、複数の第１電極、複数の第２電極、一つのフレームを、リセット期間、アドレス期間、及び維持期間からなる複数のサブフィールドに分け、前記複数のサブフィールドを維持放電パルスの数によって第１及び第２グループを含む複数のグループに分割する制御部、及び前記制御部の制御により、維持期間で、前記第１電極に正の第１電圧と負の第２電圧とを交互に有する維持放電パルスを印加し、前記第２電極に第３電圧を印加する駆動回路を含むプラズマ表示装置が提供される。この時、前記制御部は、前記複数のグループのうちの第１グループのサブフィールドの維持期間で、前記第１電極に印加される維持放電パルスのうちの最後の前記第２電圧の幅を、残りの維持放電パルスの前記第１電圧の幅及び前記第２電圧の幅より長く設定する。
【発明の効果】
【００１３】
本発明によれば、維持放電パルスの個数が小さくてプライミングが少なく形成されるサブフィールドの維持期間で、維持電極（Ｘ）に印加される最後の維持放電パルスの幅を長く設定することにより、次のサブフィールドのアドレス期間で、アドレス放電遅延を短縮させることができる。したがって、アドレス期間で安定的なアドレス放電を遂行することができる。
【発明を実施するための最良の形態】
【００１４】
以下、添付した図面を参照して、本発明の実施の形態について本発明の属する技術分野における通常の知識を有する者が容易に実施できるように詳細に説明する。しかし、本発明は多様な相違した形態で実現でき、ここで説明する実施の形態に限定されない。図面においては、本発明を明確に説明するために説明上不要な部分は省略した。明細書全体を通じて類似な部分については同一な図面符号を付けた。
【００１５】
次に、本発明の実施の形態によるプラズマ表示パネルの駆動方法について、図面を参照して詳細に説明する。
【００１６】
まず、本発明の実施の形態によるプラズマ表示装置の概略的な構造について、図１を参照して詳しく説明する。
【００１７】
図１は、本発明の実施形態によるプラズマ表示装置を示す図である。
【００１８】
図１に示すように、本発明の実施の形態によるプラズマ表示装置は、プラズマ表示パネル１００、制御部２００、アドレス電極駆動部３００、維持電極駆動部４００、及び走査電極駆動部５００を含む。
【００１９】
プラズマ表示パネル１００は、列方向に延びている複数のアドレス電極（Ａ１〜Ａｍ）、及び行方向に互いに対を成しながら延びている複数の維持電極（Ｘ１〜Ｘｎ）と走査電極（Ｙ１〜Ｙｎ）を含む。維持電極（Ｘ１〜Ｘｎ）は、各走査電極（Ｙ１〜Ｙｎ）に対応して形成され、一般的に、その一端が互いに共通に連結されている。そして、プラズマ表示パネル１００は、維持及び走査電極（Ｘ１〜Ｘｎ、Ｙ１〜Ｙｎ）が配列された基板（図示せず）とアドレス電極（Ａ１〜Ａｍ）が配列された基板（図示せず）とを含む。両基板は、走査電極（Ｙ１〜Ｙｎ）とアドレス電極（Ａ１〜Ａｍ）、及び維持電極（Ｘ１〜Ｘｎ）とアドレス電極（Ａ１〜Ａｍ）が各々直交するように、放電空間を隔てて対向して配置される。この時、アドレス電極（Ａ１〜Ａｍ）と維持及び走査電極（Ｘ１〜Ｘｎ、Ｙ１〜Ｙｎ）の交差部にある放電空間が放電セルを形成する。このようなプラズマ表示パネル１００の構造は一例であり、以下で説明する駆動波形が適用できる他の構造のパネルも本発明に適用することができる。
【００２０】
制御部２００は、外部から映像信号を受信して、アドレス電極駆動制御信号、維持電極駆動制御信号、及び走査電極駆動制御信号を出力する。そして、制御部２００は、一つのフレームを複数のサブフィールドに分割して駆動し、各サブフィールドを時間的な動作変化で表現すれば、リセット期間、アドレス期間、及び維持期間からなる。
【００２１】
アドレス電極駆動部３００は、制御部２００からアドレス電極駆動制御信号を受信して、表示しようとする放電セルを選択するための表示データ信号を各アドレス電極に印加する。
【００２２】
維持電極駆動部４００は、制御部２００から維持電極駆動制御信号を受信して、維持電極（Ｘ）に駆動電圧を印加する。
【００２３】
走査電極駆動部５００は、制御部２００から走査電極駆動制御信号を受信して、走査電極（Ｙ）に駆動電圧を印加する。
【００２４】
以下、図２を参照して、各サブフィールドでアドレス電極（Ａ１〜Ａｍ）と維持電極（Ｘ１〜Ｘｎ）及び走査電極（Ｙ１〜Ｙｎ）に印加される駆動波形について説明する。そして、以下では、一つのアドレス電極（Ａ）、維持電極（Ｘ）、及び走査電極（Ｙ）によって形成される放電セルを基準に説明する。そして、以下で言及される壁電荷とは、各電極に近く放電セルの壁（例えば、誘電体層）に形成されて電極に蓄積される電荷を言う。このような壁電荷は実際に電極自体には接触しないが、ここでは、壁電荷が電極に“形成される”、“蓄積される”又は“積まれる”のように説明される。また、壁電圧とは、壁電荷によって放電セルの壁に形成される電位差を言う。
【００２５】
図２は、本発明の実施の形態によるプラズマ表示パネルの駆動波形図である。図２では、一つのフレームが８個のサブフィールドからなり、各々のサブフィールドを第１乃至第８サブフィールドに示している。そして、第１サブフィールドのリセット期間は、上昇期間と下降期間からなり、第２乃至第８サブフィールドのリセット期間が下降期間からなることを示している。ここで、上昇期間と下降期間からなるリセット期間を“メインリセット期間”と定義し、下降期間のみからなるリセット期間を“補助リセット期間”と定義する。
【００２６】
図２に示すように、各サブフィールドはリセット期間、アドレス期間、及び維持期間からなる。
【００２７】
第１サブフィールドのリセット期間の上昇期間では、維持電極（Ｘ）を０Ｖに維持した状態で、走査電極（Ｙ）の電圧をＶｓ電圧からＶｓｅｔ電圧まで増加させる。そうすると、走査電極（Ｙ）からアドレス電極（Ａ）及び維持電極（Ｘ）に各々弱いリセット放電が起こりながら、走査電極（Ｙ）に（−）の壁電荷が形成され、アドレス電極（Ａ）及び維持電極（Ｘ）に（＋）の壁電荷が形成される。
【００２８】
そして、第１サブフィールドのリセット期間の下降期間では、維持電極（Ｘ）をＶｅ電圧に維持した状態で、走査電極（Ｙ）の電圧をＶｓ電圧からＶｎｆ電圧まで減少させる。そうすると、走査電極（Ｙ）の電圧が減少する途中に、走査電極（Ｙ）と維持電極（Ｘ）との間及び走査電極（Ｙ）とアドレス電極（Ａ）との間で弱いリセット放電が起こりながら、走査電極（Ｙ）に形成された（−）壁電荷と、維持電極（Ｘ）及びアドレス電極（Ａ）に形成された（＋）壁電荷が消去され、放電セルが初期化される。
【００２９】
次に、第１サブフィールドのアドレス期間で点灯されるセルを選択するために、走査電極（Ｙ）とアドレス電極（Ａ）に各々ＶｓｃＬ電圧を有する走査パルス及びＶａ電圧を有するアドレスパルスを印加する。そして、選択されない走査電極（Ｙ）は、ＶｓｃＬ電圧より高いＶｓｃＨ電圧でバイアスし、点灯されないセルのアドレス電極には基準電圧を印加する。そうすると、アドレス電圧（Ｖａ）と走査電圧（ＶｓｃＬ）の差、及びアドレス電極（Ａ）及び走査電極（Ｙ）に形成された壁電荷による壁電圧によってアドレス放電が起こる。その結果、走査電極（Ｙ）には（＋）の壁電荷が形成され、維持電極（Ｘ）には（−）壁電荷が形成される。また、アドレス電極（Ａ）にも（−）壁電荷が形成される。
【００３０】
次に、第１サブフィールドの維持期間では、走査電極（Ｙ）と維持電極（Ｘ）に、ハイレベル電圧（図２ではＶｓ電圧）とローレベル電圧（図２では０Ｖ）を有する維持放電パルスを反対位相に印加する。つまり、走査電極（Ｙ）にＶｓ電圧が印加される場合に維持電極（Ｘ）に０Ｖ電圧が印加され、維持電極（Ｘ）にＶｓ電圧が印加される場合に走査電極（Ｘ）に０Ｖ電圧が印加される。そうすると、アドレス期間で、アドレス放電によって走査電極（Ｙ）と維持電極（Ｘ）との間に壁電圧が形成されていれば、壁電圧とＶｓ電圧により、走査電極（Ｙ）と維持電極（Ｘ）で放電が起こる。
【００３１】
その後、走査電極（Ｙ）と維持電極（Ｘ）に維持放電パルスを印加する過程が、当該サブフィールドが表示する加重値に対応する回数だけ繰り返される。
【００３２】
以下に説明する維持放電パルスの個数は、維持放電パルスのうちのハイレベル電圧（Ｖｓ電圧）を有するパルスの個数を言い、例えば、図２の第１サブフィールドでの維持放電パルスの個数は３個である。また、維持放電パルスの幅は、ハイレベル電圧を有するパルスの幅をいう。
【００３３】
本発明の実施の形態によれば、第１サブフィールドのように、維持期間での維持放電パルスの個数が小さくてプライミングが少なく形成されるサブフィールドの維持期間で、維持電極（Ｘ）に印加される最後の維持放電パルスの幅（Ｔ２）を残りの維持放電パルスの幅（Ｔ１）より長く設定する。そして、プライミングが少なく形成されるサブフィールドとは、実験的に維持期間での維持放電パルスの総数が１５個以下であるサブフィールドを言う。しかし、パネルの特性によって維持放電パルスの数が変わりうる。
【００３４】
このようにして第１サブフィールドの維持期間が終了すれば、第２サブフィールドが開始される。第２サブフィールドのリセット期間は、前述のように下降期間のみからなる。
【００３５】
第２サブフィールドのリセット期間では、第１サブフィールドの維持期間でＶｓ電圧の維持放電パルスが走査電極（Ｙ）に印加された状態で、走査電極（Ｙ）の電圧をＶｎｆ電圧まで漸進的に減少させる。
【００３６】
この時、第１サブフィールドの維持期間で維持放電が起こった場合には、走査電極（Ｙ）に（−）壁電荷、維持電極（Ｘ）とアドレス電極（Ａ）に（＋）壁電荷が形成されているので、走査電極（Ｙ）の電圧が漸進的に減少する途中に、第１サブフィールドのリセット期間の下降期間と同様に弱い放電が起こる。そして、走査電極（Ｙ）の最終電圧（Ｖｎｆ）が第１サブフィールドの下降期間の最終電圧（Ｖｎｆ）と同一であるので、第２サブフィールドの下降期間終了後のセルの壁電荷状態は、第１サブフィールドの下降期間終了後の壁電荷状態と実質的に同一になる。
【００３７】
そして、第１サブフィールドのアドレス期間でアドレス放電が起こらないセルは、第１サブフィールドの下降期間終了後の壁電荷状態をそのまま維持する。第１サブフィールドの下降期間終了後にセルに形成された壁電圧は、印加電圧と共に放電開始電圧の近くに形成されているので、走査電極（Ｙ）の電圧がＶｎｆ電圧まで減少する場合には放電が起こらない。したがって、このようなセルは、第２サブフィールドのリセット期間で放電が起こらないので、第１サブフィールドのリセット期間で設定された壁電荷状態をそのまま維持する。
【００３８】
このように、リセット期間が下降期間からなるサブフィールドでは、直前のサブフィールドで維持放電がある場合にはリセット放電が起こり、維持放電がない場合にはリセット放電が起こらない。
【００３９】
そして、第２サブフィールドのアドレス期間及び維持期間は第１サブフィールドと同一であり、但し、第２サブフィールドの維持期間での維持放電パルスの数は、第２サブフィールドの加重値に対応して決定される。第３乃至第８サブフィールドも、維持期間での維持放電パルスの個数を除いては第２サブフィールドと同一な形態を有する。そして、第２乃至第８サブフィールドのうちの維持放電パルスの個数が１５個以下であるサブフィールドでも、維持電極（Ｘ）に印加される最後の維持放電パルスの幅が他の維持放電パルスの幅より長く設定される。
【００４０】
以下では、維持期間で維持電極（Ｘ）に印加される最後の維持放電パルスの幅を残りの維持放電パルスの幅より長く設定する理由について、図３を参照して説明する。
【００４１】
前述のように、二つの電極の間に電圧を印加して行われる放電は、電圧が印加された時点より時間的に遅延されて放電が発生する。特に、アドレス放電は、走査パルスとアドレスパルスの幅内で放電が行われなければならないために、アドレス放電は放電遅延時間に大きな影響を受ける。このようなアドレス放電は、リセット期間終了後、放電空間に形成された壁電荷によって決定されるので、アドレス放電遅延は、リセット期間終了後の壁電荷状態に影響を受けるようになる。また、リセット期間終了後の壁電荷状態は、直前のサブフィールドの最後の維持放電以降の壁電荷状態によって決定されるので、アドレス放電遅延が直前のサブフィールドの壁電荷状態に影響を受けるということが分かる。
【００４２】
そして、一般的に、維持期間で各電極に各々一周期の維持放電パルスが印加される時間（Ｔ１）は４〜５μｓ程度である。走査電極（Ｙ）と維持電極（Ｘ）に各々印加される維持放電パルスの幅（Ｔ１）は互いに同一であり、ほぼ１.５μｓ程度である。このように維持放電パルスが一定の幅を有すれば、維持放電によって形成された電荷が、この幅に相当する期間の間に電極に壁電荷として蓄積されるようになる。しかし、維持期間の維持放電パルスの総数が少ないサブフィールドでは維持放電の回数が少ないので、維持放電により形成されるプライミング粒子が充分でない。そうすると、維持放電が相対的に弱くなって、一般的な維持放電パルスの幅に相当する期間の間には壁電荷が充分に電極に蓄積できない。特に、補助リセット期間は、走査電極（Ｙ）にＶｓ電圧が印加された後に直ちに開始されるので、走査電極（Ｙ）にＶｓ電圧が印加される直前に、維持電極（Ｘ）に最後に印加される維持放電パルスのＶｓ電圧によって充分な壁電荷が形成されなければならない。しかし、維持期間で壁電荷が適切な水準まで形成されないと、補助リセット動作が不安定になり、繋がるアドレス期間でアドレス放電が円滑に起こらない。
【００４３】
したがって、本発明の実施の形態では、維持期間で、維持電極（Ｙ）に最後に印加される維持放電パルスの幅（Ｔ２）を残りの維持放電パルスの幅（Ｔ１）より長く設定する。
【００４４】
図３は、維持電極（Ｘ）に印加される最後の維持放電パルスの幅（Ｔ２）を変化させながらアドレス放電遅延を測定した図である。図３では、維持期間での維持放電パルスの総数を３個とし、維持電極（Ｘ）に印加される最後の維持放電パルスの幅を変化させながらアドレス放電遅延を測定した。そして、図３では、維持電極（Ｘ）に印加される最後の維持放電パルスの幅を除いた残りの維持放電パルスの幅を１.５μｓに仮定した。
【００４５】
図３に示すように、維持期間で、維持電極（Ｘ）に印加される最後の維持放電パルスの幅（Ｔ２）を長くするほど、アドレス放電遅延が小さくなることが分かる。
【００４６】
特に、赤色放電セル（Ｒ）では、維持電極（Ｘ）に印加される最後の維持放電パルスの幅（Ｔ２）がアドレス放電遅延にほとんど影響を与えないが、緑色放電セル（Ｇ）では、維持電極（Ｘ）に印加される最後の維持放電パルスの幅（Ｔ２）がアドレス放電遅延に多くの影響を与えることが分かる。
【００４７】
特に、維持放電パルスの幅が１.５μｓを超えると、アドレス放電遅延時間が１.５μｓより短い幅を有する場合より短くなることが分かる。特に、維持放電パルスの幅が３μｓ以上である場合に、アドレス放電遅延が時間が著しく短くなることが分かる。したがって、本発明の実施の形態では、最後の維持放電パルスの幅を１.５μｓより長く、特に３μｓ以上に設定する。そして、１.５μｓより長い幅を有する維持放電パルスを全てのサブフィールドに適用することもできるが、前述のように、維持放電パルスの個数が１５個以下であるサブフィールドにのみ適用すれば、全てのサブフィールドに適用する場合より維持期間の長さを短縮させることができる。
【００４８】
つまり、本発明の実施の形態で制御部２００は、複数のサブフィールドを各サブフィールドでの維持放電パルスの数によって複数のグループに分ける。例えば、維持放電パルスの数が１５個以下である場合を第１グループのサブフィールドに設定し、維持放電パルスの数が１５個を超える場合を第２グループのサブフィールドに設定する。そして、制御部２００は、第１グループのサブフィールドの維持期間で、維持電極（Ｘ）に印加される最後の維持放電パルスの幅が残りの維持放電パルスの幅より長くなるように維持電極駆動部４００を制御する。このようにすれば、アドレス放電遅延時間が短縮することができる。
【００４９】
また、本発明の実施の形態では、Ｖｓ電圧と０Ｖ電圧を交互に有する維持放電パルスが反対位相に走査電極（Ｙ）と維持電極（Ｘ）に印加される場合について説明したが、これとは違う形態の維持放電パルスを用いることもできる。例えば、維持電極（Ｘ）に基準電圧（例えば、０Ｖ）が印加された状態で、走査電極（Ｙ）にＶｓ電圧と−Ｖｓ電圧とを交互に有する維持放電パルスを印加させることもできる。このようにしても、維持電極（Ｘ）と走査電極（Ｙ）の電圧差は、Ｖｓ電圧と０Ｖを交互に有する維持放電パルスの場合と同一である。そして、この場合には、走査電極（Ｙ）に印加される維持放電パルスのうちの最後の−Ｖｓ電圧パルスの幅を長く設定すればよい。
【００５０】
以上、本発明の実施の形態について詳細に説明したが、本発明の権利範囲はこれに限定されるものではなく、特許請求の範囲で定義している本発明の基本概念を利用した当業者のいろいろな変形及び改良形態もまた本発明の権利範囲に属する。
【図面の簡単な説明】
【００５１】
【図１】本発明の実施の形態によるプラズマ表示装置を示す図である。
【図２】本発明の実施の形態によるプラズマ表示装置の駆動波形図である。
【図３】維持電極（Ｘ）に最後に印加される維持放電パルスの幅を変化させながらアドレス放電遅延を測定した結果を示す図である。
【符号の説明】
【００５２】
１００  プラズマ表示パネル
２００  制御部
３００  アドレス電極駆動部
４００  維持電極駆動部
５００  走査電極駆動部
【図１】
2006133773.tif 000003
【図２】
2006133773.tif 000004
【図３】
2006133773.tif 000005